(57)【特許請求の範囲】
【請求項１】
室外機と複数の室内機とを冷媒配管で接続し、冷媒を循環させることによって冷媒回路が形成された空気調和装置であって、
空調対象空間に設けられ、該空調対象空間に対する前記冷媒の漏洩を検知する冷媒漏洩検知装置と、
前記冷媒配管に設けられ、該冷媒配管内を流通する前記冷媒の圧力を検知する複数の冷媒圧力検知装置と、
前記複数の室内機に分岐する前記冷媒配管の分岐点と前記室内機との間に各々設けられ、前記冷媒の流通を許容または遮断する冷媒遮断弁と、
前記冷媒遮断弁の開閉を制御する制御装置と
を備え、
前記制御装置は、
前記冷媒の漏洩を前記冷媒漏洩検知装置で検知した場合に、すべての前記冷媒遮断弁を閉止するように制御するとともに、
前記冷媒圧力検知装置で検知された前記冷媒配管内の前記冷媒の圧力と、基準となる圧力判定値とを比較し、前記冷媒圧力検知装置で検知された前記圧力が前記圧力判定値よりも低い場合に、前記冷媒圧力検知装置が設けられた位置の付近で前記冷媒が漏洩したと判断し、
前記冷媒の漏洩を前記冷媒圧力検知装置で検知した場合に、前記冷媒の漏洩を検知した前記冷媒圧力検知装置の付近に設けられた前記冷媒遮断弁を閉止するように制御するとともに、
前記冷媒圧力検知装置で検知された前記冷媒配管内の前記冷媒の圧力の変動に基づき、前記冷媒の漏洩箇所を特定し、
前記圧力判定値は、
室外空間の温度に基づき算出される前記冷媒の飽和圧力、または前記空調対象空間の温度に基づき算出される前記冷媒の飽和圧力のうち、いずれか低い飽和圧力または２つの前記飽和圧力の平均値である
空気調和装置。
【請求項２】
前記制御装置は、
前記冷媒の漏洩を前記冷媒漏洩検知装置で検知した場合に、前記空調対象空間へ前記冷媒が漏洩したと判断し、
前記冷媒の漏洩を前記冷媒圧力検知装置で検知した場合に、前記空調対象空間以外の室外空間へ前記冷媒が漏洩したと判断する
請求項１に記載の空気調和装置。
【請求項３】
前記冷媒圧力検知装置および前記冷媒遮断弁は、
前記冷媒配管における前記室外機と複数の前記室内機とを接続する位置に設けられる
請求項１または２に記載の空気調和装置。
【請求項４】
前記制御装置は、
前記冷媒圧力検知装置で検知された圧力と、前記圧力判定値とを比較し、
検知された前記圧力が前記圧力判定値よりも低い場合に、前記冷媒が漏洩したと判断し、
前記圧力判定値よりも低い圧力を検知した前記冷媒圧力検知装置が設けられた位置の付近で前記冷媒が漏洩したと判断する
請求項１〜３のいずれか一項に記載の空気調和装置。
【請求項５】
前記室外機から供給される前記冷媒をガス冷媒と液冷媒とに分離させる気液分離器と、
複数の前記室内機に供給する前記冷媒の流れを切り替える複数の流路切替弁と
を有し、
前記室外機と複数の前記室内機との間に介在する分岐ユニット
をさらに備え、
前記制御装置は、
前記冷媒が漏洩したと判断した場合に、前記流路切替弁を閉止するように制御する
請求項１〜４のいずれか一項に記載の空気調和装置。
【発明の詳細な説明】
【技術分野】
【０００１】
本発明は、ビル用マルチエアコン等に適用される空気調和装置に関するものである。
【背景技術】
【０００２】
従来、空気調和装置には、ビル用マルチエアコンなどのように、熱源機である室外機が建物の屋上等の建物外に配置され、室内機が建物内に配置されたものがある。このような空気調和装置において、冷媒回路を循環する冷媒は、室内機に設けられた利用側熱交換器に供給される空気と熱交換を行うことによって放熱または吸熱し、当該空気を加熱または冷却する。そして、加熱または冷却された空気が空調対象空間に送り込まれることにより、当該空間に対する暖房または冷房を行っている。【０００３】
また、空気調和装置としては、例えば同一システム内で冷房運転および暖房運転の両方を同時に利用することができる冷暖同時ビル用マルチエアコンといったものも存在する（例えば、特許文献１参照）。このような空気調和装置では、室外機と室内機との間に分岐ユニットを設け、室外機で加熱または冷却された冷媒を、分岐ユニット内で液冷媒とガス冷媒とに分離させている。そして、この空気調和装置では、室内機の利用側熱交換器に液冷媒を流入させ、液冷媒が蒸発することにより、冷房運転を行うことができ、利用側熱交換器にガス冷媒を流入させ、ガス冷媒が凝縮することにより、暖房運転を行うことができる。【０００４】
空気調和装置に使用される冷媒としては、一般的に、不燃性であるＲ４１０Ａ、弱い可燃性を有するＲ３２、強い可燃性を示すプロパン等の水素および炭素を含む物質が用いられている。これらの冷媒は、大気中に放出された場合に、分解されて別の物質に変化するまでの寿命が異なるが、冷媒回路内においては、安定性が高く、数十年といった長い期間冷媒として使用することができる。また、冷媒としては、これ以外に、二酸化炭素（ＣＯ２）等の自然冷媒を使用するものも提案されている。
【先行技術文献】
【特許文献】
【０００５】
【特許文献１】特開２０１１−１１２２３３号公報
【発明の概要】
【発明が解決しようとする課題】
【０００６】
ところで、上述した従来の空気調和装置では、１つの冷媒配管に対して複数の室内機を接続し、冷房運転または暖房運転を行うためにこれら複数の室内機に対して冷媒を搬送している。そして、接続された室内機の台数が増加すると、それに応じて冷媒回路を循環する冷媒の総冷媒量が多くなる。そのため、冷媒漏洩が発生した場合、漏洩する冷媒量は、総冷媒量に比例して増加してしまう。例えば、室内で冷媒漏洩が発生した場合には、室内空間が狭小となるにしたがって、空間内の冷媒濃度が高くなってしまう可能性がある。【０００７】
また、室外機の設置場所から室内機の設置場所までの距離が長い場合には、室外機と室内機とを接続する冷媒配管が長くなる。そして、冷媒配管が長くなると、それに応じて冷媒回路を循環する冷媒の総冷媒量が多くなる。この場合においても、冷媒漏洩が発生した場合に、漏洩する冷媒量が総冷媒量に比例して増加してしまう。そのため、例えば室内で冷媒漏洩が発生した場合には、室内空間が狭小となるにしたがって、空間内の冷媒濃度が高くなってしまう可能性がある。【０００８】
一方、大規模の空気調和装置において冷媒漏洩が発生した場合には、冷媒回路における冷媒の漏洩箇所を特定するのに時間を要するとともに、漏洩箇所の修復、漏洩した冷媒の再充填等の復旧に時間を要してしまう。そのため、利便性が悪化してしまう虞がある。【０００９】
本発明は、上記従来の技術における課題に鑑みてなされたものであって、冷媒の漏洩が発生した場合における冷媒の漏洩を抑制するとともに、漏洩箇所を容易に特定することができる空気調和装置を提供することを目的とする。
【課題を解決するための手段】
【００１０】
本発明の空気調和装置は、室外機と複数の室内機とを冷媒配管で接続し、冷媒を循環させることによって冷媒回路が形成された空気調和装置であって、空調対象空間に設けられ、該空調対象空間に対する前記冷媒の漏洩を検知する冷媒漏洩検知装置と、前記冷媒配管に設けられ、該冷媒配管内を流通する前記冷媒の圧力を検知する複数の冷媒圧力検知装置と、前記複数の室内機に分岐する前記冷媒配管の分岐点と前記室内機との間に各々設けられ、前記冷媒の流通を許容または遮断する冷媒遮断弁と、前記冷媒遮断弁の開閉を制御する制御装置とを備え、前記制御装置は、前記冷媒の漏洩を前記冷媒漏洩検知装置で検知した場合に、すべての前記冷媒遮断弁を閉止するように制御するとともに、前記冷媒圧力検知装置で検知された前記冷媒配管内の前記冷媒の圧力と、基準となる圧力判定値とを比較し、前記冷媒圧力検知装置で検知された前記圧力が前記圧力判定値よりも低い場合に、前記冷媒圧力検知装置が設けられた位置の付近で前記冷媒が漏洩したと判断し、前記冷媒の漏洩を前記冷媒圧力検知装置で検知した場合に、前記冷媒の漏洩を検知した前記冷媒圧力検知装置の付近に設けられた前記冷媒遮断弁を閉止するように制御するとともに、前記冷媒圧力検知装置で検知された前記冷媒配管内の前記冷媒の圧力の変動に基づき、前記冷媒の漏洩箇所を特定し、前記圧力判定値は、室外空間の温度に基づき算出される前記冷媒の飽和圧力、または前記空調対象空間の温度に基づき算出される前記冷媒の飽和圧力のうち、いずれか低い飽和圧力または２つの前記飽和圧力の平均値であるものである。
【発明の効果】
【００１１】
以上のように、本発明の空気調和装置によれば、冷媒漏洩検知装置または冷媒圧力検知装置の検知結果に基づいて冷媒が漏洩したと判断した場合に、冷媒遮断弁を閉止することにより、冷媒の漏洩が発生した場合における冷媒の漏洩を抑制することができ、冷媒圧力検知装置の検知結果に基づく冷媒配管内の冷媒の圧力変動により、漏洩箇所を容易に特定することができる。
【図面の簡単な説明】
【００１２】
【図１】実施の形態１に係る空気調和装置の設置例を示す概略図である。
【図２】実施の形態１に係る空気調和装置の回路構成の一例を示す概略図である。
【図３】図２の制御装置の構成の一例を示すブロック図である。
【図４】実施の形態１に係る空気調和装置における冷媒漏洩検知処理の流れの一例を示すフローチャートである。
【図５】実施の形態２に係る空気調和装置の設置例を示す概略図である。
【図６】実施の形態２に係る空気調和装置の回路構成の一例を示す概略図である。
【図７】図６の制御装置の構成の一例を示すブロック図である。
【図８】実施の形態２に係る空気調和装置における冷媒漏洩検知処理の流れの一例を示すフローチャートである。
【図９】本実施の形態３に係る空気調和装置の設置例を示す概略図である。
【発明を実施するための形態】
【００１３】
実施の形態１．
以下、本発明の実施の形態１に係る空気調和装置について説明する。本実施の形態１に係る空気調和装置は、複数の室内機が冷房運転および暖房運転のいずれか一方の運転を同時に行うことができる冷暖切替タイプの空気調和装置である。
【００１４】
［空気調和装置の設置例］
図１は、本実施の形態１に係る空気調和装置１の設置例を示す概略図である。図１に示すように、空気調和装置１は、熱源機としての室外機１０と、複数台の室内機２０とを備えている。室外機１０および複数の室内機２０は、２本の冷媒配管３０で接続されている。これにより、冷媒配管３０内を冷媒が循環する冷媒回路が形成されている。
【００１５】
この例では、１台の室外機１０に対して２台の室内機２０Ａおよび２０Ｂが接続されている。なお、以下の説明において、室内機２０Ａおよび２０Ｂを特に区別する必要がない場合には、単に「室内機２０」と適宜称する。
【００１６】
室外機１０は、通常、ビル等の建物２の外の空間、例えば屋上等である室外空間３に設置されている。室外機１０は、冷熱または温熱を生成し、生成した冷熱または温熱を、冷媒配管３０を介して室内機２０に供給する。
【００１７】
室内機２０は、室外機１０から供給された冷熱または温熱により、冷房用空気または暖房用空気を、建物２の内部の空間、例えば居室やサーバールーム等の空調対象空間である室内空間４に供給する。この例において、室内機２０は、建物２の内部ではあるが室内空間４とは異なる空間である天井裏等の空間５に設置されている。また、室内機２０は、例えば床下に設置され、暖房運転時に供給される温熱により、床面を暖める床暖房として使用することもできる。
【００１８】
なお、室外機１０に接続される室内機２０の数は、この例に限られず、例えば１台の室外機１０に対して１台の室内機２０が接続されてもよいし、２台あるいは４台以上の室内機２０が接続されてもよい。また、例えば、室外機１０を複数設け、複数の室外機１０に対して１台または複数台の室内機２０が接続されてもよい。すなわち、室外機１０、室内機２０の台数は、空気調和装置１が設置される建物２の規模等に応じて、適宜決定することができる。
【００１９】
ここで、本実施の形態１の空気調和装置１において、冷媒循環回路を循環させる冷媒として、例えばＲ−２２、Ｒ−１３４ａ、Ｒ−３２等の単一冷媒、Ｒ−４１０Ａ、Ｒ−４０４Ａ等の擬似共沸混合冷媒、Ｒ−４０７Ｃ等の非共沸混合冷媒、化学式内に二重結合を含むＣＦ３ＣＦ＝ＣＨ２等の地球温暖化係数が比較的小さい値とされている冷媒やその混合物、あるいはＣＯ２、プロパン等の自然冷媒を用いることができる。
【００２０】
冷媒配管３０には、内部を流通する冷媒の圧力を検知するための冷媒圧力検知装置６が設けられている。また、冷媒配管３０には、それぞれの室内機２０に対して流出入する冷媒を遮断するための冷媒遮断弁７が、室内機２０毎に対応して設けられている。なお、冷媒圧力検知装置６および冷媒遮断弁７の詳細については、後述する。
【００２１】
また、室内空間４には、冷媒漏洩検知装置８が設置されている。冷媒漏洩検知装置８は、冷媒配管３０から冷媒が漏洩して室内空間４に流出した場合に、冷媒の漏洩を検知するためのものである。冷媒漏洩検知装置８は、室内空間４への冷媒漏洩の検知結果を示す検知信号を後述する制御装置４０に供給する。
【００２２】
この例において、冷媒漏洩検知装置８は、例えば室内空間４の下端部に設置されている。なお、冷媒漏洩検知装置８の設置位置は、この例に限られず、冷媒の漏洩を正確に検知できる位置であれば、いずれの位置に設置されてもよい。
【００２３】
冷媒漏洩検知装置８としては、例えば半導体方式または赤外線方式の漏洩検知装置を用いることができる。なお、冷媒漏洩検知装置８としては、これに限られず、例えば冷媒を検知できるものであればいずれのものも用いることができる。
【００２４】
［空気調和装置の回路構成］
図２は、本実施の形態１に係る空気調和装置１の回路構成の一例を示す概略図である。図２の例では、１台の室外機１０に対して２台の室内機２０Ａおよび２０Ｂが冷媒配管３０を介して接続される場合を示す。なお、上述したように、室外機１０および室内機２０の台数は、この例に限られない。
【００２５】
（室外機）
室外機１０は、圧縮機１１、冷媒流路切替装置１２、熱源側熱交換器１３およびアキュムレータ１４で構成されている。
【００２６】
圧縮機１１は、低温低圧の冷媒を吸入し、その冷媒を圧縮して高温高圧の状態にして吐出する。圧縮機１１としては、例えば、駆動周波数を任意に変化させることにより、単位時間あたりの冷媒送出量である容量を制御することが可能なインバータ圧縮機等を用いることができる。
【００２７】
冷媒流路切替装置１２は、例えば四方弁であり、冷媒の流れる方向を切り替えることにより、冷房運転および暖房運転の切り替えを行う。冷媒流路切替装置１２としては、上述した四方弁に限らず、例えば他の弁を組み合わせて使用してもよい。
【００２８】
熱源側熱交換器１３は、図示しないファン等の送風機によって供給される空気（以下、「室外空気」と適宜称する）と冷媒との間で熱交換を行う。具体的には、熱源側熱交換器１３は、冷房運転の際に、冷媒の熱を室外空気に放熱して冷媒を凝縮させる凝縮器として機能する。また、熱源側熱交換器１３は、暖房運転の際に、冷媒を蒸発させ、その際の気化熱により室外空気を冷却する蒸発器として機能する。
【００２９】
アキュムレータ１４は、圧縮機１１の吸入側である低圧側に設けられる。アキュムレータ１４は、冷房運転と暖房運転の運転状態の違いによって生じる余剰冷媒、過渡的な運転の変化に対する余剰冷媒等を貯留する。
【００３０】
（室内機）
室内機２０Ａおよび２０Ｂは、例えば、空調対象空間の空気の冷房および暖房を行うものである。室内機２０Ａは、室内熱交換器である絞り装置２１Ａおよび利用側熱交換器２２Ａで構成されている。室内機２０Ｂは、絞り装置２１Ｂおよび利用側熱交換器２２Ｂで構成されている。
【００３１】
なお、以下の説明において、絞り装置２１Ａおよび２１Ｂを特に区別する必要がない場合には、単に「絞り装置２１」と適宜称して説明する。また、利用側熱交換器２２Ａおよび２２Ｂについても同様に、単に「利用側熱交換器２２」と適宜称して説明する。
【００３２】
絞り装置２１は、冷媒の流量を調整することによって冷媒を減圧して膨張させる。絞り装置２１は、例えば、電子式膨張弁等の開度の制御が可能な弁で構成される。なお、絞り装置２１としては、これに限らず、例えばキャピラリ等の他の絞り装置を用いることもできる。
【００３３】
利用側熱交換器２２は、図示しないファン等の送風機によって供給される空気と冷媒との間で熱交換を行う。これにより、室内空間４に供給される暖房用空気または冷房用空気が生成される。具体的には、利用側熱交換器２２は、冷房運転の際に冷媒が冷熱を搬送している場合に蒸発器として機能し、空調対象空間である室内空間４の空気を冷却して冷房を行う。また、利用側熱交換器２２は、暖房運転の際に冷媒が温熱を搬送している場合に凝縮器として機能し、室内空間４の空気を加熱して暖房を行う。
【００３４】
室外機１０と室内機２０とを接続する冷媒配管３０には、冷媒圧力検知装置６ａおよび６ｂが設けられている。冷媒圧力検知装置６ａは、冷媒配管３０の分岐点３５ａと室内機２０Ｂとの間に設けられている。冷媒圧力検知装置６ｂは、冷媒配管３０の分岐点３５ｂと室内機２０Ｂとの間に設けられている。
【００３５】
これらの冷媒圧力検知装置６ａおよび６ｂは、空気調和装置１が運転状態であり、冷媒配管３０内を冷媒が流通している場合、または空気調和装置１が運転停止状態である場合に、室外空間３および室内空間４の温度に応じた冷媒飽和圧力を検出する。そして、冷媒圧力検知装置６ａおよび６ｂは、検知結果としての冷媒圧力を示す検知信号を、後述する制御装置４０に対して出力する。
【００３６】
また、室外機１０と室内機２０とを接続する冷媒配管３０には、冷媒遮断弁７ａ〜７ｄが設けられている。冷媒遮断弁７ａは、冷媒配管３０の分岐点３５ａと室内機２０Ａとの間に設けられている。冷媒遮断弁７ｂは、室内機２０Ａと冷媒配管３０の分岐点３５ｂとの間に設けられている。冷媒遮断弁７ｃは、分岐点３５ａと室内機２０Ｂとの間に設けられている。冷媒遮断弁７ｄは、室内機２０Ｂと分岐点３５ｂとの間に設けられている。
【００３７】
これらの冷媒遮断弁７ａ〜７ｄは、弁の開閉が制御装置４０によって制御され、冷媒配管３０内の冷媒の流通を許容または遮断する。冷媒遮断弁７ａ〜７ｄは、通常状態においては「開」状態とされ、冷媒の流通が許容されている。そして、冷媒の漏洩が検知された場合等に、冷媒遮断弁７ａ〜７ｄは、制御装置４０の制御に基づき「閉」状態とされ、冷媒の流通が遮断される。
【００３８】
冷媒遮断弁７ａおよび７ｂが「閉」状態とされると、室内機２０Ａは、室外機１０から切り離された状態となり、空気調和装置１から独立させることができる。また、冷媒遮断弁７ｃおよび７ｄが「閉」状態とされると、室内機２０Ｂは、室外機から切り離された状態となり、空気調和装置１から独立させることができる。なお、冷媒遮断弁７ａ〜７ｄは、冷媒回路を遮断する機能を有していれば、いずれのものも使用することができる。
【００３９】
（制御装置）
空気調和装置１には、制御装置４０が設けられている。制御装置４０は、例えばマイクロコンピュータ、ＣＰＵ（Ｃｅｎｔｒａｌ  Ｐｒｏｃｅｓｓｉｎｇ  Ｕｎｉｔ）などの演算装置上で実行されるソフトウェア、各種機能を実現する回路デバイスなどのハードウェア等で構成され、この空気調和装置１全体の運転を制御する。
【００４０】
例えば、制御装置４０は、利用者から指示される運転内容、冷媒圧力検知装置６および冷媒漏洩検知装置８からの検知結果等に基づき、圧縮機１１の圧縮機周波数、絞り装置２１の弁開度、冷媒遮断弁７の開閉等を制御する。また、制御装置４０は、冷媒配管３０から冷媒が漏洩した際の冷媒圧力検知装置６および冷媒漏洩検知装置８からの検知結果等に基づき、冷媒の漏洩箇所を特定する処理を行う。
【００４１】
［制御装置の構成］
図３は、図２の制御装置４０の構成の一例を示すブロック図である。図３に示すように、制御装置４０は、漏洩判断部４１、圧力比較部４２、遮断弁制御部４３および漏洩箇所判断部４４で構成されている。なお、この例における制御装置４０については、本実施の形態１に関連する部分のみを図示し、それ以外の部分については、図示を省略する。
【００４２】
漏洩判断部４１は、冷媒漏洩検知装置８から受け取った検知信号が示す情報、または後述する圧力比較部４２からの比較結果を示す情報に基づき、冷媒の漏洩が発生したか否かを判断する。漏洩判断部４１は、判断結果を示す情報を遮断弁制御部４３に供給する。
【００４３】
圧力比較部４２は、冷媒圧力検知装置６から受け取った検知信号が示す圧力と、予め設定された圧力判定値としての基準となる圧力（以下、「圧力判定値」と適宜称する）Ｐとを比較する。圧力比較部４２は、比較結果を示す情報を漏洩判断部４１または後述する漏洩箇所判断部４４に供給する。
【００４４】
なお、圧力判定値Ｐは、例えば、運転停止中の冷媒配管３０内に存在する冷媒の圧力から決定されるものである。この圧力判定値Ｐとしては、例えば、室外空間３の温度（以下、「室外温度」と適宜称する）または室内空間４の室内温度から算出される冷媒の飽和圧力のうちの低い値または平均値を用いることができる。
【００４５】
遮断弁制御部４３は、漏洩判断部４１による判断結果を示す情報を受け取り、この情報に基づき冷媒遮断弁７の開閉を制御する。遮断弁制御部４３は、例えば、判断結果を示す情報が冷媒の漏洩を示すものである場合に、冷媒遮断弁７を閉止するように制御する。
【００４６】
漏洩箇所判断部４４は、圧力比較部４２から受け取った情報に基づき、漏洩箇所を判断する。そして、漏洩箇所判断部４４は、判断結果を示す情報を遮断弁制御部４３に供給する。漏洩箇所判断部４４は、例えば、圧力判定値Ｐよりも低い圧力を示す冷媒圧力検知装置６が設置された周囲の冷媒配管３０から冷媒が漏洩したと判断する。
【００４７】
［空気調和装置の動作］
次に、上記構成を有する空気調和装置１における全冷房運転モードおよび全暖房運転モードでの冷媒の動作について説明する。本実施の形態１に係る空気調和装置１における運転モードとしては、室内機２０Ａおよび２０Ｂの両方が冷房運転を行う全冷房運転モードと、暖房運転を行う全暖房運転モードがある。なお、図２に示す例において、冷媒流路切替装置１２の実線で示す状態が全冷房運転モードでの状態を示し、点線で示す状態が全暖房運転モードでの状態を示す。
【００４８】
（全冷房運転モード）
まず、室内機２０Ａおよび２０Ｂが冷房運転を行う全冷房運転モードでの冷媒の動作について説明する。全冷房運転モードでは、室外機１０における冷媒流路切替装置１２が図２の実線で示す状態に切り替えられる。そして、低温低圧の冷媒が圧縮機１１によって圧縮され、高温高圧のガス冷媒となって吐出される。
【００４９】
圧縮機１１から吐出された高温高圧のガス冷媒は、冷媒流路切替装置１２を介して熱源側熱交換器１３に流入する。熱源側熱交換器１３に流入した高温高圧のガス冷媒は、室外空気と熱交換して放熱しながら凝縮し、過冷却状態の高圧の液冷媒となって熱源側熱交換器１３から流出する。そして、高圧の液冷媒は、室外機１０から流出する。
【００５０】
室外機１０から流出した高圧の液冷媒は、冷媒配管３０を介して分岐し、室内機２０Ａおよび２０Ｂに流入する。室内機２０Ａに流入した高圧の液冷媒は、冷媒配管３０に設けられた冷媒遮断弁７ａを介して絞り装置２１Ａによって減圧され、低温低圧の気液二相冷媒となり、利用側熱交換器２２Ａに流入する。利用側熱交換器２２Ａに流入した低温低圧の気液二相冷媒は、室内空気と熱交換して吸熱および蒸発することにより室内空気を冷却し、低温低圧のガス冷媒となって利用側熱交換器２２Ａから流出する。そして、利用側熱交換器２２Ａから流出した低温低圧のガス冷媒は、室内機２０Ａから流出する。
【００５１】
また、室内機２０Ｂに流入した高圧の液冷媒は、冷媒配管３０に設けられた冷媒遮断弁７ｃを介して絞り装置２１Ｂによって減圧され、低温低圧の気液二相冷媒となり、利用側熱交換器２２Ｂに流入する。利用側熱交換器２２Ｂに流入した低温低圧の気液二相冷媒は、室内空気と熱交換して吸熱および蒸発することにより室内空気を冷却し、低温低圧のガス冷媒となって利用側熱交換器２２Ｂから流出する。そして、利用側熱交換器２２Ｂから流出した低温低圧のガス冷媒は、室内機２０Ｂから流出する。
【００５２】
室内機２０Ａから流出した低温低圧のガス冷媒、および室内機２０Ｂから流出した低温低圧のガス冷媒は、それぞれが冷媒配管３０に設けられた冷媒遮断弁７ｃおよび冷媒遮断弁７ｄを介して合流し、室外機１０に流入する。室外機１０に流入した低温低圧のガス冷媒は、冷媒流路切替装置１２およびアキュムレータ１４を通過して、圧縮機１１へ吸入される。
【００５３】
（全暖房運転モード）
次に、室内機２０Ａおよび２０Ｂが暖房運転を行う全暖房運転モードでの冷媒の動作について説明する。全暖房運転モードでは、冷媒流路切替装置１２が図２の点線で示す状態に切り替えられる。そして、低温低圧の冷媒が圧縮機１１によって圧縮され、高温高圧のガス冷媒となって吐出される。
【００５４】
圧縮機１１から吐出された高温高圧のガス冷媒は、冷媒流路切替装置１２を介して室外機１０から流出する。室外機１０から流出した高温高圧のガス冷媒は、冷媒配管３０を介して分岐し、室内機２０Ａおよび２０Ｂに流入する。
【００５５】
室内機２０Ａに流入した高温高圧のガス冷媒は、利用側熱交換器２２Ａに流入し、室内空気と熱交換して放熱しながら凝縮し、過冷却状態の高圧の液冷媒となって利用側熱交換器２２Ａから流出する。利用側熱交換器２２Ａから流出した高圧の液冷媒は、絞り装置２１Ａによって減圧されて低温低圧の気液二相冷媒となり、室内機２０Ａから流出する。
【００５６】
また、室内機２０Ｂに流入した高温高圧のガス冷媒は、利用側熱交換器２２Ｂに流入し、室内空気と熱交換して放熱しながら凝縮し、過冷却状態の高圧の液冷媒となって利用側熱交換器２２Ｂから流出する。利用側熱交換器２２Ｂから流出した高圧の液冷媒は、絞り装置２１Ｂによって減圧されて低温低圧の気液二相冷媒となり、室内機２０Ｂから流出する。
【００５７】
室内機２０Ａから流出した低温低圧の気液二相冷媒、および室内機２０Ｂから流出した低温低圧の気液二相冷媒は、それぞれが冷媒遮断弁７ａおよび冷媒遮断弁７ｃを介して合流し、室外機１０に流入する。
【００５８】
室外機１０に流入した低温低圧の気液二相冷媒は、熱源側熱交換器１３に流入し、室外空気と熱交換して吸熱および蒸発し、低温低圧のガス冷媒となって熱源側熱交換器１３から流出する。熱源側熱交換器１３から流出した低温低圧のガス冷媒は、冷媒流路切替装置１２およびアキュムレータ１４を通過して、圧縮機１１へ吸入される。そして、以下、上述した循環が繰り返される。
【００５９】
なお、本実施の形態１において、空気調和装置１は、室内空間４の温度（以下、「室内温度」と適宜称する）が設定温度となるように冷房運転または暖房運転を行う。このとき、室内温度が設定温度に達すると、空気調和装置１では、室内機２０の利用側熱交換器２２に対する冷媒の供給を停止させ、利用側熱交換器２２に付設された送風機による送風運転モードに切り替わる。
【００６０】
また、空気調和装置１は、室内温度が設定温度に達していないときであっても、例えば利用者による指示があった場合には、利用側熱交換器２２に対する冷媒の供給を停止させるとともに、利用側熱交換器２２に付設された送風機の運転も停止させる停止モードに切り替わる。
【００６１】
［冷媒漏洩検知処理］
次に、冷媒の漏洩が発生した際の処理について説明する。図４は、本実施の形態１に係る空気調和装置１における冷媒漏洩検知処理の流れの一例を示すフローチャートである。ここでは、空気調和装置１の運転が停止している状態で冷媒の漏洩が検知された場合について説明する。
【００６２】
まず、ステップＳ１において、冷媒配管３０から冷媒の漏洩が検知されると、ステップＳ２において、制御装置４０の漏洩判断部４１は、当該冷媒漏洩が冷媒漏洩検知装置８によって検知されたものであるか否かを判断する。
【００６３】
冷媒漏洩が冷媒漏洩検知装置８によって検知されたものであると判断した場合（ステップＳ２；Ｙｅｓ）、漏洩判断部４１は、室内空間４へ冷媒が漏洩したと判断し、処理がステップＳ３に移行する。ステップＳ３において、制御装置４０の遮断弁制御部４３は、対象となる冷媒遮断弁７を閉止するように制御する。
【００６４】
この場合には、室内空間４に対する冷媒の漏洩を抑制する必要があるため、遮断弁制御部４３は、室内空間４に設置されたすべての室内機２０に接続された冷媒配管３０の冷媒遮断弁７と、その上流側の冷媒遮断弁７とを閉止するように制御する。したがって、図１および図２に示す例において、遮断弁制御部４３は、「対象となる冷媒遮断弁７」として、冷媒遮断弁７ａ〜７ｄを閉止するように制御する。これにより、室内空間４に設置された室内機２０に対応する冷媒回路を空気調和装置１から分離させることができる。
【００６５】
次に、ステップＳ４において、制御装置４０の漏洩箇所判断部４４は、冷媒配管３０における冷媒の漏洩箇所を特定する。冷媒の漏洩箇所の特定は、例えば、冷媒圧力検知装置６の検知結果を用い、冷媒配管３０内の冷媒の圧力の変動に基づいて行うことができる。具体的には、圧力比較部４２は、冷媒配管３０に設けられたそれぞれの冷媒圧力検知装置６から受け取った検知信号が示す圧力と圧力判定値Ｐとを比較する。そして、漏洩箇所判断部４４は、圧力判定値Ｐよりも低い圧力を示す冷媒圧力検知装置６が設置された周囲の冷媒配管３０から冷媒が漏洩したと判断する。
【００６６】
一方、ステップＳ２において、冷媒漏洩検知装置８によって検知されたものではないと判断した場合（ステップＳ２；Ｎｏ）、漏洩判断部４１は、室外空間３へ冷媒が漏洩したと判断し、処理がステップＳ５に移行する。
【００６７】
ステップＳ５において、漏洩判断部４１は、冷媒漏洩が室内機２０に接続された冷媒配管３０に設けられた冷媒圧力検知装置６によって検知されたものであるか否かを判断する。冷媒漏洩が当該冷媒圧力検知装置６によって検知されたものであると判断した場合（ステップＳ５；Ｙｅｓ）には、処理がステップＳ６に移行する。
【００６８】
なお、冷媒圧力検知装置６による冷媒漏洩の検知は、例えば、冷媒配管３０内の冷媒の圧力の変動に基づいて行うことができる。具体的には、それぞれの冷媒圧力検知装置６の検知結果が示す圧力と、圧力判定値Ｐとを比較し、冷媒圧力検知装置６の圧力が圧力判定値Ｐよりも低い値となった場合に、冷媒が漏洩したと判断することができる。
【００６９】
ステップＳ６において、遮断弁制御部４３は、対象となる冷媒遮断弁７を閉止するように制御する。この場合、漏洩判断部４１は、圧力判定値Ｐよりも低い圧力を示す冷媒圧力検知装置６が設置された周囲の冷媒配管３０から冷媒が漏洩したと判断する。そして、遮断弁制御部４３は、当該冷媒圧力検知装置６が設置された冷媒配管３０の冷媒遮断弁７を閉止するように制御する。具体的には、図２に示す例において、例えば、冷媒圧力検知装置６ａによって冷媒漏洩が検知された場合、遮断弁制御部４３は、冷媒遮断弁７ｃを閉止するように制御する。
【００７０】
次に、ステップＳ７において、漏洩箇所判断部４４は、冷媒配管３０における冷媒の漏洩箇所を特定する。このときの冷媒箇所の特定方法は、上述したステップＳ４と同様である。
【００７１】
一方、ステップＳ５において、冷媒漏洩が室内機２０に接続された冷媒配管３０に設けられた冷媒圧力検知装置６によって検知されたものはないと判断した場合（ステップＳ５；Ｎｏ）には、処理がステップＳ８に移行する。
【００７２】
ステップＳ８において、遮断弁制御部４３は、対象となる冷媒遮断弁７を閉止するように制御する。このときの冷媒漏洩は、室内機２０に接続された冷媒配管３０からのものではなく、漏洩箇所を特定することが困難である。したがって、遮断弁制御部４３は、さらなる冷媒漏洩を防止するため、室外機１０に接続された冷媒配管３０に設けられた冷媒遮断弁７を閉止するように制御する。
【００７３】
以上のように、本実施の形態１に係る空気調和装置１は、室外機１０と複数の室内機２０とを冷媒配管３０で接続し、冷媒を循環させることによって冷媒回路が形成されたものであり、室内空間４に設けられ、室内空間４に対する冷媒の漏洩を検知する冷媒漏洩検知装置８と、冷媒配管３０に設けられ、冷媒配管３０内を流通する冷媒の圧力を検知する複数の冷媒圧力検知装置６と、冷媒配管３０に設けられ、冷媒の流通を許容または遮断する冷媒遮断弁７と、冷媒遮断弁７の開閉を制御する制御装置４０とを備えている。そして、制御装置４０は、冷媒漏洩検知装置８または冷媒圧力検知装置６の検知結果に基づき、冷媒の漏洩の有無を判断し、冷媒が漏洩したと判断した場合に、冷媒遮断弁７を閉止するように制御し、冷媒圧力検知装置６で検知された冷媒配管３０内の冷媒の圧力の変動に基づき、冷媒の漏洩箇所を特定する。
【００７４】
このように、冷媒が漏洩したと判断した場合に、冷媒遮断弁７を閉止するように制御するため、冷媒がさらに漏洩するのを抑制することができる。また、冷媒圧力検知装置６で検知された冷媒配管３０内の冷媒の圧力の変動に基づくことにより、冷媒の漏洩箇所を容易に特定することができる。そして、このようにして冷媒の漏洩箇所を容易に特定することができるため、空気調和装置１の安全性だけでなく、工事性、経済性、利便性を向上させることができる。
【００７５】
実施の形態２．
次に、本実施の形態２に係る空気調和装置について説明する。本実施の形態２に係る空気調和装置は、複数の室内機が冷房運転および暖房運転の両方を同時に行うことができる冷暖同時タイプの空気調和装置である。
【００７６】
［空気調和装置の設置例］
図５は、本実施の形態２に係る空気調和装置１の設置例を示す概略図である。図５に示すように、空気調和装置１は、室外空間３に設置された室外機１０と、室内空間４に設置された複数台の室内機２０と、室外機１０と室内機２０との間に介在する分岐ユニット５０とを備えている。室外機１０および分岐ユニット５０は、２本の冷媒配管３０ａで接続されている。また、分岐ユニット５０および複数の室内機２０のそれぞれは、冷媒配管３０ｂで接続されている。
【００７７】
なお、以下の説明において、上述した実施の形態１と同様の部分については、同一の符号を付し、説明を省略する。
【００７８】
分岐ユニット５０は、室外機１０および室内機２０とは異なる筐体として、室外空間３および室内空間４とは別の位置、例えば空間５等に設置できるように構成されている。分岐ユニット５０は、室外機１０と冷媒配管３０ａで接続されるとともに、室内機２０と冷媒配管３０ｂで接続されている。分岐ユニット５０は、室外機１０で生成された冷熱または温熱を、室内機２０に伝達するためのものである。
【００７９】
冷媒圧力検知装置６および冷媒遮断弁７は、冷媒配管３０ａおよび３０ｂのそれぞれに設けられている。また、室内空間４には、実施の形態１と同様に、冷媒漏洩検知装置８が設置されている。
【００８０】
［空気調和装置の回路構成］
図６は、本実施の形態２に係る空気調和装置１の回路構成の一例を示す概略図である。図６の例では、空気調和装置１が１台の室外機１０、分岐ユニット５０、２台の室内機２０Ａおよび２０Ｂで構成される場合を示す。
【００８１】
（室外機）
室外機１０は、圧縮機１１、冷媒流路切替装置１２、熱源側熱交換器１３、アキュムレータ１４、４つの逆止弁１５ａ〜１５ｄで構成されている。
【００８２】
逆止弁１５ａ〜１５ｄは、冷媒配管３０ａを流通する冷媒の流れを予め定められた方向にのみ許容する。逆止弁１５ａは、分岐ユニット５０と冷媒流路切替装置１２との間の冷媒配管３０ａに設けられ、後述する全冷房運転および冷房主体運転を含む冷房運転時に冷媒を分岐ユニット５０から室外機１０への方向に流通させる。逆止弁１５ｂは、２本の冷媒配管３０ａを接続する第１の接続配管３１ａに設けられ、全暖房運転および暖房主体運転を含む暖房運転時に分岐ユニット５０から戻ってきた冷媒を圧縮機１１の吸入側に流通させる。
【００８３】
逆止弁１５ｃは、２本の冷媒配管３０ａを接続する第２の接続配管３１ｂに設けられ、暖房運転時に圧縮機１１から吐出された冷媒を分岐ユニット５０に流通させる。逆止弁１５ｄは、熱源側熱交換器１３と分岐ユニット５０との間の冷媒配管３０ａに設けられ、冷房運転時に冷媒を室外機１０から分岐ユニット５０への方向に流通させる。
【００８４】
（分岐ユニット）
分岐ユニット５０は、室外機１０から供給された冷熱または温熱を、室内機２０に供給する機能を有している。分岐ユニット５０は、気液分離器５１、流路切替弁５４、絞り装置５２および絞り装置５３で構成されている。なお、流路切替弁５４Ａおよび５４Ｂは、分岐ユニット５０に接続されている室内機２０の台数に対応した個数が設けられている。
【００８５】
流路切替弁５４Ａおよび５４Ｂは、室内機２０に供給する冷媒の流れを切り替えるものである。この流路切替弁５４Ａおよび５４Ｂによって冷媒流路を切り替えることで、分岐ユニット５０に接続されているそれぞれの室内機２０Ａおよび２０Ｂが冷房運転および暖房運転を同時に実行することができる。流路切替弁５４Ａおよび５４Ｂは、例えば三方弁等で構成されている。
【００８６】
流路切替弁５４Ａは、一方が冷媒配管３０ａに接続され、他方が気液分離器５１に接続され、更にもう他方が室内機２０Ａの利用側熱交換器２２Ａに接続されている。また、流路切替弁５４Ｂは、一方が冷媒配管３０ａに接続され、他方が気液分離器５１に接続され、更にもう他方が室内機２０Ｂの利用側熱交換器２２Ｂに接続されている。流路切替弁５４Ａおよび５４Ｂは、弁の開閉が制御装置４０によって制御される。
【００８７】
気液分離器５１は、冷媒配管３０ａに接続されるとともに、室内機２０の流出入側のそれぞれに接続される。気液分離器５１は、流入した冷媒をガス冷媒と液冷媒とに分離する機能を有している。
【００８８】
絞り装置５２は、気液分離器５１と室内機２０Ａの絞り装置２１Ａおよび室内機２０Ｂの絞り装置２１Ｂとの間に設けられ、冷媒を減圧して膨張させるものである。絞り装置５３は、冷媒配管３０ａと、絞り装置５２と室内機２０Ａの絞り装置２１Ａおよび室内機２０Ｂの絞り装置２１Ｂとの間における配管と、を接続した接続配管に設けられ、冷媒を減圧して膨張させるものである。絞り装置５２および絞り装置５３は、例えば、電子式膨張弁等の開度の制御が可能な弁、キャピラリ等で構成される。絞り装置５２および絞り装置５３が膨張弁である場合には、弁開度が制御装置４０によって制御される。
【００８９】
分岐ユニット５０と室内機２０とを接続する冷媒配管３０ｂには、冷媒圧力検知装置６Ａおよび６Ｂが設けられている。冷媒圧力検知装置６Ａは、冷媒配管３０ｂにおける分岐ユニット５０の絞り装置５２と室内機２０Ａとの間に設けられている。冷媒圧力検知装置６Ｂは、冷媒配管３０ｂにおける分岐ユニット５０の絞り装置５２と室内機２０Ｂとの間に設けられている。
【００９０】
室外機１０と分岐ユニット５０とを接続する冷媒配管３０ａには、冷媒圧力検知装置６Ｃが設けられている。冷媒圧力検知装置６Ｃは、室外機１０における逆止弁１５ｄと分岐ユニット５０における気液分離器５１との間に設けられている。
【００９１】
なお、冷媒圧力検知装置６の設置位置および設置数は、この例に限られず、例えば冷媒配管３０ａおよび３０ｂの長さ、分岐ユニット５０および室内機２０を設置する際の配管の取り回し、配管継ぎ手の設置位置、必要な冷媒量等に応じて決定することができる。
【００９２】
また、分岐ユニット５０と室内機２０とを接続する冷媒配管３０ｂには、冷媒遮断弁７ａ〜７ｄが設けられている。室外機１０と分岐ユニット５０とを接続する冷媒配管３０ａには、冷媒遮断弁７ｅおよび７ｆが設けられている。
【００９３】
冷媒遮断弁７ｅは、冷媒配管３０ａにおける、室外機１０の逆止弁１５ｄと分岐ユニット５０の気液分離器５１との間に設けられている。冷媒遮断弁７ｆは、冷媒配管３０ａにおける、分岐ユニット５０の流路切替弁５４Ｂと室外機１０の逆止弁１５ａとの間に設けられている。
【００９４】
これらの冷媒遮断弁７ａ〜７ｆは、弁の開閉が制御装置４０によって制御され、通常状態においては「開」状態とされている。そして、冷媒の漏洩が検知された場合等に、冷媒遮断弁７ａ〜７ｆは、制御装置４０の制御に基づき「閉」状態とされる。
【００９５】
冷媒遮断弁７ｅおよび７ｆが「閉」状態とされると、分岐ユニット５０および室内機２０Ａは、室外機１０から切り離された状態となり、空気調和装置１から独立させることができる。
【００９６】
なお、冷媒遮断弁７ｅおよび７ｆは、冷媒遮断弁７ａ〜７ｄと同様に、冷媒回路を遮断する機能を有していれば、いずれのものも使用することができる。また、冷媒遮断弁７の設置位置および設置数は、この例に限られず、例えば冷媒配管３０ａおよび３０ｂの長さ、分岐ユニット５０および室内機２０を設置する際の配管の取り回し、配管継ぎ手の設置位置、必要な冷媒量等に応じて決定することができる。
【００９７】
［制御装置の構成］
図７は、図６の制御装置４０の構成の一例を示すブロック図である。図７に示すように、制御装置４０は、漏洩判断部４１、圧力比較部４２、遮断弁制御部４３、漏洩箇所判断部４４および流路切替弁制御部４５で構成されている。なお、この例における制御装置４０については、本実施の形態２に関連する部分のみを図示し、それ以外の部分については、図示を省略する。また、上述した実施の形態１と共通する部分については、説明を省略する。
【００９８】
漏洩判断部４１は、冷媒漏洩検知装置８から受け取った検知信号が示す情報、または後述する圧力比較部４２からの比較結果を示す情報に基づき、冷媒の漏洩が発生したか否かを判断する。漏洩判断部４１は、判断結果を示す情報を遮断弁制御部４３および流路切替弁制御部４５に供給する。
【００９９】
流路切替弁制御部４５は、漏洩判断部４１による判断結果を示す情報を受け取り、この情報に基づき分岐ユニット５０の流路切替弁５４の開閉を制御する。
【０１００】
［空気調和装置の動作］
次に、上記構成を有する空気調和装置１における各種運転モードでの冷媒の動作について説明する。本実施の形態２に係る空気調和装置１における運転モードとしては、実施の形態１で説明した全冷房運転モードおよび全暖房運転モードに加えて、室内機２０Ａおよび２０Ｂが冷房運転および暖房運転の両方を同時に行い、いずれか一方の運転を主体的に行う冷房主体運転モードおよび暖房主体運転モードがある。ここでは、空気調和装置１における全冷房運転モード、全暖房運転モード、冷房主体運転モードおよび暖房主体運転モードでの冷媒の動作について説明する。
【０１０１】
（全冷房運転モード）
まず、全冷房運転モードでの冷媒の動作について説明する。全冷房運転モードでは、室内機２０Ａおよび２０Ｂが共に冷房運転を行う。
【０１０２】
全冷房運転モードでは、室外機１０における冷媒流路切替装置１２が図６の実線で示す状態に切り替えられる。そして、低温低圧の冷媒が圧縮機１１によって圧縮され、高温高圧のガス冷媒となって吐出される。
【０１０３】
圧縮機１１から吐出された高温高圧のガス冷媒は、冷媒流路切替装置１２を介して熱源側熱交換器１３に流入する。熱源側熱交換器１３に流入した高温高圧のガス冷媒は、室外空気と熱交換して放熱しながら凝縮し、高圧の液冷媒となって熱源側熱交換器１３から流出する。
【０１０４】
熱源側熱交換器１３から流出した高圧の液冷媒は、逆止弁１５ｄを介して室外機１０から流出し、分岐ユニット５０に流入する。分岐ユニット５０に流入した高圧の液冷媒は、気液分離器５１および絞り装置５２を介して分岐ユニット５０から流出し、室内機２０Ａおよび２０Ｂに流入する。
【０１０５】
室内機２０Ａに流入した高圧の液冷媒は、絞り装置２１Ａによって減圧および膨張されて低圧の気液二相冷媒または液冷媒となり、利用側熱交換器２２Ａに流入する。利用側熱交換器２２Ａに流入した低圧の気液二相冷媒または液冷媒は、室内空気と熱交換して吸熱および蒸発することにより室内空気を冷却し、低圧のガス冷媒となって利用側熱交換器２２Ａから流出する。
【０１０６】
また、室内機２０Ｂに流入した高圧の液冷媒は、絞り装置２１Ｂによって減圧および膨張されて低圧の気液二相冷媒または液冷媒となり、利用側熱交換器２２Ｂに流入する。利用側熱交換器２２Ｂに流入した低圧の気液二相冷媒または液冷媒は、室内空気と熱交換して吸熱および蒸発することにより室内空気を冷却し、低圧のガス冷媒となって利用側熱交換器２２Ｂから流出する。
【０１０７】
利用側熱交換器２２Ａから流出した低圧のガス冷媒は、流路切替弁５４Ａを介して分岐ユニット５０から流出し、室外機１０に流入する。また、利用側熱交換器２２Ｂから流出した低圧のガス冷媒は、流路切替弁５４Ｂを介して分岐ユニット５０から流出し、流路切替弁５４Ａを介して分岐ユニット５０から流出した低圧のガス冷媒と合流して室外機１０に流入する。
【０１０８】
室外機１０に流入した低圧のガス冷媒は、逆止弁１５ａ、冷媒流路切替装置１２およびアキュムレータ１４を通過して、圧縮機１１へ吸入される。そして、以下、上述した循環が繰り返される。
【０１０９】
（全暖房運転モード）
次に、全暖房運転モードでの冷媒の動作について説明する。全暖房運転モードでは、室内機２０Ａおよび２０Ｂが共に暖房運転を行う。
【０１１０】
全暖房運転モードでは、室外機１０における冷媒流路切替装置１２が図６の点線で示す状態に切り替えられる。そして、低温低圧の冷媒が圧縮機１１によって圧縮され、高温高圧のガス冷媒となって吐出される。
【０１１１】
圧縮機１１から吐出された高温高圧のガス冷媒は、冷媒流路切替装置１２および逆止弁１５ｃを介して室外機１０から流出し、分岐ユニット５０に流入する。分岐ユニット５０に流入した高温高圧のガス冷媒は、気液分離器５１、流路切替弁５４Ａおよび５４Ｂを介して分岐ユニット５０から流出し、室内機２０Ａおよび２０Ｂに流入する。
【０１１２】
室内機２０Ａに流入した高温高圧のガス冷媒は、利用側熱交換器２２Ａに流入し、室内空気と熱交換して放熱しながら凝縮することにより室内空気を加熱し、高圧の液冷媒となって利用側熱交換器２２Ａから流出する。利用側熱交換器２２Ａから流出した高圧の液冷媒は、絞り装置２１Ａによって減圧および膨張されて低圧の気液二相冷媒または液冷媒となり、室内機２０Ａから流出する。
【０１１３】
また、室内機２０Ｂに流入した高温高圧のガス冷媒は、利用側熱交換器２２Ｂに流入し、室内空気と熱交換して放熱しながら凝縮することにより室内空気を加熱し、高圧の液冷媒となって利用側熱交換器２２Ｂから流出する。利用側熱交換器２２Ｂから流出した高圧の液冷媒は、絞り装置２１Ｂによって減圧および膨張されて低圧の気液二相冷媒または液冷媒となり、室内機２０Ｂから流出する。
【０１１４】
室内機２０Ａおよび２０Ｂから流出した低圧の気液二相冷媒または液冷媒は、分岐ユニット５０に流入し、絞り装置５３を介して分岐ユニットから流出し、室外機１０に流入する。
【０１１５】
室外機１０に流入した低圧の気液二相冷媒または液冷媒は、逆止弁１５ｂを介して熱源側熱交換器１３に流入する。熱源側熱交換器１３に流入した低圧の気液二相冷媒または液冷媒は、室外空気と熱交換して吸熱および蒸発し、低温低圧のガス冷媒となって熱源側熱交換器１３から流出する。
【０１１６】
熱源側熱交換器１３から流出した低温低圧のガス冷媒は、冷媒流路切替装置１２およびアキュムレータ１４を通過して、圧縮機１１へ吸入される。そして、以下、上述した循環が繰り返される。
【０１１７】
（冷房主体運転モード）
次に、冷房主体運転モードでの冷媒の動作について説明する。ここでは、室内機２０Ａが冷房運転を行い、室内機２０Ｂが暖房運転を行う場合を例にとって説明する。
【０１１８】
冷房主体運転モードでは、室外機１０における冷媒流路切替装置１２が図６の実線で示す状態に切り替えられる。そして、低温低圧の冷媒が圧縮機１１によって圧縮され、高温高圧のガス冷媒となって吐出される。
【０１１９】
圧縮機１１から吐出された高温高圧のガス冷媒は、冷媒流路切替装置１２を介して熱源側熱交換器１３に流入する。熱源側熱交換器１３に流入した高温高圧のガス冷媒は、室外空気と熱交換して放熱しながら凝縮し、高圧の気液二相冷媒となって熱源側熱交換器１３から流出する。
【０１２０】
熱源側熱交換器１３から流出した高圧の気液二相冷媒は、逆止弁１５ｄを介して室外機１０から流出し、分岐ユニット５０に流入する。分岐ユニット５０に流入した高圧の気液二相冷媒は、気液分離器５１に流入し、高圧のガス冷媒と高圧の液冷媒とに分離される。
【０１２１】
気液分離器５１によって分離された高圧のガス冷媒は、流路切替弁５４Ｂを介して分岐ユニット５０から流出し、室内機２０Ｂに流入する。室内機２０Ｂに流入した高圧のガス冷媒は、利用側熱交換器２２Ｂに流入し、室内空気と熱交換して放熱しながら凝縮することにより室内空気を加熱し、高圧の液冷媒となって利用側熱交換器２２Ｂから流出する。利用側熱交換器２２Ｂから流出した高圧の液冷媒は、絞り装置２１Ｂによって減圧および膨張されて中間圧の気液二相冷媒または液冷媒となり、室内機２０Ｂから流出する。
【０１２２】
一方、気液分離器５１によって分離された高圧の液冷媒、および室内機２０Ｂから流出した中間圧の気液二相冷媒または液冷媒は、分岐ユニット５０から流出し、室内機２０Ａに流入する。室内機２０Ａに流入した高圧の液冷媒、および室内機２０Ｂから流出した中間圧の気液二相冷媒または液冷媒は、絞り装置２１Ａによって減圧および膨張されて低圧の気液二相冷媒または液冷媒となり、利用側熱交換器２２Ａに流入する。
【０１２３】
利用側熱交換器２２Ａに流入した低圧の気液二相冷媒または液冷媒は、室内空気と熱交換して吸熱および蒸発することにより室内空気を冷却し、低圧のガス冷媒となって利用側熱交換器２２Ａから流出する。利用側熱交換器２２Ａから流出した低圧のガス冷媒は、流路切替弁５４Ａを介して分岐ユニット５０から流出し、室外機１０に流入する。
【０１２４】
室外機１０に流入した低圧のガス冷媒は、逆止弁１５ａ、冷媒流路切替装置１２およびアキュムレータ１４を通過して、圧縮機１１へ吸入される。そして、以下、上述した循環が繰り返される。
【０１２５】
（暖房主体運転モード）
次に、暖房主体運転モードでの冷媒の動作について説明する。ここでは、冷房主体運転モードと同様に、室内機２０Ａが冷房運転を行い、室内機２０Ｂが暖房運転を行う場合を例にとって説明する。
【０１２６】
暖房主体運転モードでは、室外機１０における冷媒流路切替装置１２が図６の点線で示す状態に切り替えられる。そして、低温低圧の冷媒が圧縮機１１によって圧縮され、高温高圧のガス冷媒となって吐出される。
【０１２７】
圧縮機１１から吐出された高温高圧のガス冷媒は、冷媒流路切替装置１２および逆止弁１５ｃを介して室外機１０から流出し、分岐ユニット５０に流入する。分岐ユニット５０に流入した高温高圧のガス冷媒は、気液分離器５１および流路切替弁５４Ｂを介して分岐ユニット５０から流出する。
【０１２８】
分岐ユニット５０から流出した高温高圧のガス冷媒は、室内機２０Ｂに流入する。室内機２０Ｂに流入した高温高圧のガス冷媒は、利用側熱交換器２２Ｂに流入し、室内空気と熱交換して放熱しながら凝縮することにより室内空気を加熱し、高圧の液冷媒となって利用側熱交換器２２Ｂから流出する。利用側熱交換器２２Ｂから流出した高圧の液冷媒は、絞り装置２１Ｂによって減圧および膨張されて中間圧の気液二相冷媒または液冷媒となり、室内機２０Ｂから流出する。
【０１２９】
室内機２０Ｂから流出した中間圧の気液二相冷媒または液冷媒は、室内機２０Ａに流入する。室内機２０Ａに流入した中間圧の気液二相冷媒または液冷媒は、絞り装置２１Ａによって減圧および膨張されて低圧の気液二相冷媒または液冷媒となり、利用側熱交換器２２Ａに流入する。
【０１３０】
利用側熱交換器２２Ａに流入した低圧の気液二相冷媒または液冷媒は、室内空気と熱交換して吸熱および蒸発することにより室内空気を冷却し、低圧のガス冷媒となって利用側熱交換器２２Ａから流出する。利用側熱交換器２２Ａから流出した低圧のガス冷媒は、流路切替弁５４Ａを介して分岐ユニット５０から流出し、室外機１０に流入する。
【０１３１】
室外機１０に流入した低圧のガス冷媒は、逆止弁１５ｂを介して熱源側熱交換器１３に流入する。熱源側熱交換器１３に流入した低圧のガス冷媒は、室外空気と熱交換して吸熱および蒸発し、低温低圧のガス冷媒となって熱源側熱交換器１３から流出する。
【０１３２】
熱源側熱交換器１３から流出した低温低圧のガス冷媒は、冷媒流路切替装置１２およびアキュムレータ１４を通過して、圧縮機１１へ吸入される。そして、以下、上述した循環が繰り返される。
【０１３３】
なお、本実施の形態２においても、実施の形態１と同様に、空気調和装置１は、室内温度が設定温度に達した場合に、室内機２０の利用側熱交換器２２に対する冷媒の供給を停止させ、利用側熱交換器２２に付設された送風機による送風運転モードに切り替わる。
【０１３４】
また、空気調和装置１は、室内温度が設定温度に達していないときであっても、例えば利用者による指示があった場合には、利用側熱交換器２２に対する冷媒の供給を停止させるとともに、利用側熱交換器２２に付設された送風機の運転も停止させる停止モードに切り替わる。
【０１３５】
［冷媒漏洩検知処理］
次に、冷媒の漏洩が発生した際の処理について説明する。図８は、本実施の形態２に係る空気調和装置１における冷媒漏洩検知処理の流れの一例を示すフローチャートである。ここでは、空気調和装置１の運転が停止している状態で冷媒の漏洩が検知された場合について説明する。なお、以下の説明において、上述した実施の形態１と同様の処理については同一の符号を付し、詳細な説明を省略する。
【０１３６】
まず、ステップＳ１において、冷媒配管３０から冷媒の漏洩が検知されると、ステップＳ２において、制御装置４０の漏洩判断部４１は、当該冷媒漏洩が冷媒漏洩検知装置８によって検知されたものであるか否かを判断する。
【０１３７】
冷媒漏洩が冷媒漏洩検知装置８によって検知されたものであると判断した場合（ステップＳ２；Ｙｅｓ）、漏洩判断部４１は、室内空間４へ冷媒が漏洩したと判断し、処理がステップＳ３に移行する。ステップＳ３において、制御装置４０の遮断弁制御部４３は、室内空間４に設置されたすべての室内機２０に接続された冷媒配管３０の冷媒遮断弁７と、その上流側の冷媒遮断弁７とを閉止するように制御する。
【０１３８】
次に、ステップＳ４において、制御装置４０の漏洩箇所判断部４４は、それぞれの冷媒圧力検知装置６による圧力と圧力判定値Ｐとに基づき、冷媒配管３０における冷媒の漏洩箇所を特定する。
【０１３９】
一方、ステップＳ２において、冷媒漏洩検知装置８によって検知されたものではないと判断した場合（ステップＳ２；Ｎｏ）、漏洩判断部４１は、室外空間３へ冷媒が漏洩したと判断し、処理がステップＳ５に移行する。
【０１４０】
ステップＳ５において、漏洩判断部４１は、冷媒漏洩が室内機２０に接続された冷媒配管３０に設けられた冷媒圧力検知装置６によって検知されたものであるか否かを判断する。冷媒漏洩が当該冷媒圧力検知装置６によって検知されたものであると判断した場合（ステップＳ５；Ｙｅｓ）には、処理がステップＳ６に移行する。
【０１４１】
ステップＳ６において、遮断弁制御部４３は、圧力判定値Ｐよりも低い圧力を示す冷媒圧力検知装置６が設置された冷媒配管３０の冷媒遮断弁７を閉止するように制御する。ここで、例えば、冷媒漏洩を図６に示す冷媒圧力検知装置６Ｃで検知した場合、遮断弁制御部４３は、冷媒配管３０ａに設置された冷媒遮断弁７ｅを閉止するように制御する。また、このとき、遮断弁制御部４３は、冷媒配管３０ｂに設置された冷媒遮断弁７も閉止するように制御することにより、さらなる冷媒漏洩を防止することができる。
【０１４２】
次に、ステップＳ１１において、制御装置４０の流路切替弁制御部４５は、分岐ユニット５０における、冷媒漏洩を検知した冷媒圧力検知装置６が設置された冷媒配管３０が接続された室内機２０に対応する流路切替弁５４を閉止するように制御する。これにより、さらなる冷媒漏洩を防止することができる。
【０１４３】
そして、ステップＳ７において、漏洩箇所判断部４４は、上述したステップＳ４と同様にして、冷媒配管３０における冷媒の漏洩箇所を特定する。
【０１４４】
一方、ステップＳ５において、冷媒漏洩が室内機２０に接続された冷媒配管３０に設けられた冷媒圧力検知装置６によって検知されたものはないと判断した場合（ステップＳ５；Ｎｏ）には、処理がステップＳ８に移行する。
【０１４５】
ステップＳ８において、遮断弁制御部４３は、さらなる冷媒漏洩を防止するため、室外機１０に接続された冷媒配管３０に設けられた冷媒遮断弁７を閉止するように制御する。
【０１４６】
以上のように、本実施の形態２に係る空気調和装置１は、実施の形態１と比較して、室外機１０から供給される冷媒をガス冷媒と液冷媒とに分離させる気液分離器５１と、複数の室内機２０に供給する冷媒の流れを切り替える複数の流路切替弁５４とを有し、室外機１０と複数の室内機２０との間に介在する分岐ユニット５０をさらに備え、制御装置４０は、冷媒が漏洩したと判断した場合に、流路切替弁５４を閉止するように制御する。これにより、冷媒が漏洩した場合に、冷媒がさらに漏洩してしまうのを抑制することができる。
【０１４７】
実施の形態３．
次に、本実施の形態３に係る空気調和装置について説明する。本実施の形態３では、上述した実施の形態１に係る空気調和装置１に対して、さらに複数の冷媒圧力検知装置６および複数の冷媒遮断弁７を設置している。
【０１４８】
［空気調和装置の設置例］
図９は、本実施の形態３に係る空気調和装置１の設置例を示す概略図である。図９に示すように、空気調和装置１は、上述した実施の形態１と同様に、室外機１０と、複数台の室内機２０とを備えている。
【０１４９】
また、本実施の形態３では、実施の形態１で説明した冷媒圧力検知装置６ａおよび冷媒圧力検知装置６ｂに加えて、冷媒配管３０における室外機１０側に設けられた冷媒圧力検知装置６ｃおよび冷媒圧力検知装置６ｄを備えている。
【０１５０】
さらに、本実施の形態３では、実施の形態１で説明した冷媒遮断弁７ａ〜７ｄに加えて、冷媒遮断弁７ｇ〜７ｊを備えている。冷媒遮断弁７ｇおよび冷媒遮断弁７ｈは、冷媒配管３０において室内機２０Ａと室内機２０Ｂとの間の配管に設けられている。冷媒遮断弁７ｉおよび７ｊは、冷媒配管３０における室外機１０側の配管に設けられている。
【０１５１】
このように、実施の形態１と比較してより多くの冷媒圧力検知装置６および冷媒遮断弁７を設けることにより、冷媒の漏洩をより確実に検知できるとともに、漏洩箇所を容易に特定することができる。
【０１５２】
なお、冷媒圧力検知装置６および冷媒遮断弁７の設置位置および設置数は、この例に限られず、例えば冷媒配管３０ａおよび冷媒配管３０ｂの長さ、分岐ユニット５０および室内機２０を設置する際の配管の取り回し、配管継ぎ手の設置位置、必要な冷媒量等に応じて決定することができる。
【０１５３】
以上のように、本実施の形態３に係る空気調和装置１は、実施の形態１と比較して、冷媒配管３０により多くの冷媒圧力検知装置６および冷媒遮断弁７を設けるため、漏洩箇所をより容易に特定することができる。
【符号の説明】
【０１５４】
１  空気調和装置、２  建物、３  室外空間、４  室内空間、５  空間、６、６Ａ、６Ｂ、６Ｃ、６ａ、６ｂ、６ｃ、６ｄ  冷媒圧力検知装置、７、７ａ、７ｂ、７ｃ、７ｄ、７ｅ、７ｆ、７ｇ、７ｈ、７ｉ、７ｊ  冷媒遮断弁、８  冷媒漏洩検知装置、１０  室外機、１１  圧縮機、１２  冷媒流路切替装置、１３  熱源側熱交換器、１４  アキュムレータ、１５ａ、１５ｂ、１５ｃ、１５ｄ  逆止弁、２０、２０Ａ、２０Ｂ  室内機、２１、２１Ａ、２１Ｂ  絞り装置、２２、２２Ａ、２２Ｂ  利用側熱交換器、３０、３０ａ、３０ｂ  冷媒配管、３１ａ  第１の接続配管、３１ｂ  第２の接続配管、３５ａ、３５ｂ  分岐点、４０  制御装置、４１  漏洩判断部、４２  圧力比較部、４３  遮断弁制御部、４４  漏洩箇所判断部、４５  流路切替弁制御部、５０  分岐ユニット、５１  気液分離器、５２、５３  絞り装置、５４、５４Ａ、５４Ｂ  流路切替弁。
【図１】
0006701337.tif 000002
【図２】
0006701337.tif 000003
【図３】
0006701337.tif 000004
【図４】
0006701337.tif 000005
【図５】
0006701337.tif 000006
【図６】
0006701337.tif 000007
【図７】
0006701337.tif 000008
【図８】
0006701337.tif 000009
【図９】
0006701337.tif 000010